(57)【要約】【課題】撮影者が主要被写体を撮影するために、外部カメラをどの向きに向ければよいか容易に判断できるカメラを提供する。【解決手段】カメラ１０は、外部カメラ５０に固定する接続部１６と、外部カメラ５０との間で通信を行う通信手段３１と、被写体像を撮像する撮像手段２３と、撮像手段２３によって撮像された画像を再生表示する表示手段２９と、通信手段３１を介して外部カメラ５０から取得した情報に基づいて、外部カメラ５０による撮影範囲を演算する演算手段２８と、再生表示する画像とともに、演算手段２８で演算された撮影範囲を示す表示４０（図３）を行うように表示手段２９を制御する表示制御手段２８とを備える。【選択図】図３
2009198780.tif 000002
【特許請求の範囲】
【請求項１】
外部カメラに固定する接続部と、
前記外部カメラとの間で通信を行う通信手段と、
被写体像を撮像する撮像手段と、
前記撮像手段によって撮像された画像を再生表示する表示手段と、
前記通信手段を介して前記外部カメラから取得した情報に基づいて、前記外部カメラによる撮影範囲を演算する演算手段と、
前記再生表示する画像とともに、前記演算手段で演算された前記撮影範囲を示す表示を行うように前記表示手段を制御する表示制御手段とを備えることを特徴とするカメラ。
【請求項２】
請求項１に記載のカメラにおいて、
前記演算手段は、前記外部カメラの撮影光学系である外部カメラ撮影光学系の焦点距離情報、前記外部カメラの撮像素子である外部カメラ撮像素子のサイズ情報、当該カメラの撮影光学系の焦点距離情報、および当該カメラの前記撮像手段に含まれる撮像素子のサイズ情報を用いて、前記表示手段で再生表示される画像における前記外部カメラによる撮影範囲を演算することを特徴とするカメラ。
【請求項３】
請求項１に記載のカメラにおいて、
前記演算手段は、前記外部カメラの撮影光学系である外部カメラ撮影光学系および前記外部カメラの撮像素子である外部カメラ撮像素子により撮像される撮像範囲を所定サイズの撮像素子で撮影した場合に用いるべき撮影光学系の焦点距離である換算焦点距離情報に基づいて、前記外部カメラによる撮影範囲を演算することを特徴とするカメラ。
【請求項４】
請求項１〜３のいずれか一項に記載のカメラにおいて、
前記演算手段は、外部カメラの撮像素子である外部カメラ撮像素子の撮像範囲に対する該外部カメラによる画像データの取得範囲が占める割合情報に基づいて、前記外部カメラによる撮影範囲を演算することを特徴とするカメラ。
【請求項５】
請求項１〜４のいずれか一項に記載のカメラにおいて、
前記演算手段は、前記外部カメラで記録される画像のアスペクト比情報に基づいて、前記外部カメラによる撮影範囲を演算することを特徴とするカメラ。
【請求項６】
請求項１に記載のカメラにおいて、
測光手段と、
前記通信手段を介して前記外部カメラから取得した前記外部カメラによる測光情報と、前記測光手段で取得された測光情報とに基づいて、前記撮像手段に対する露出制御を行う露出制御手段とをさらに備えることを特徴とするカメラ。
【請求項７】
請求項１に記載のカメラにおいて、
前記通信手段を介して前記外部カメラから取得したホワイトバランス調整設定の選択肢情報に基づいて、前記表示手段で再生表示される画像のデータに適用するホワイトバランス調整設定を行うホワイトバランス制御手段をさらに備えることを特徴とするカメラ。
【請求項８】
請求項１に記載のカメラにおいて、
操作に応じて信号を発する操作部材をさらに備え、
前記表示制御手段は、前記操作部材からの信号に応じて前記再生表示する画像上で前記撮影範囲を示す表示の位置を移動させるように前記表示手段を制御することを特徴とするカメラ。
【請求項９】
請求項１に記載のカメラにおいて、
前記接続部は、前記外部カメラによる撮影方向に対して前記撮像手段の撮像方向を調節する調節機構を備えることを特徴とするカメラ。
【請求項１０】
望遠鏡に固定する接続部と、
前記望遠鏡との間で通信を行う通信手段と、
被写体像を撮像する撮像手段と、
前記撮像手段によって撮像された画像を再生表示する表示手段と、
前記通信手段を介して前記望遠鏡から取得した情報に基づいて、前記望遠鏡による視野を演算する演算手段と、
前記再生表示する画像とともに、前記演算手段で演算された前記視野を示す表示を行うように前記表示手段を制御する表示制御手段とを備えることを特徴とするカメラ。
【発明の詳細な説明】
【技術分野】
【０００１】
本発明は、カメラに関する。
【背景技術】
【０００２】
外部のカメラより広い範囲を撮影し、その撮影画像を処理して該外部のカメラによる撮影範囲に対応する画像を抽出し、抽出画像を表示するカメラが知られている。
【０００３】
【特許文献１】特開平１０−２９３３６０号公報
【発明の開示】
【発明が解決しようとする課題】
【０００４】
従来技術では、たとえば、外部のカメラに望遠レンズが装着されている場合に、外部カメラの撮影範囲内に主要被写体を収めるために、撮影者が外部カメラをどの向きに向けてよいのかわかりにくいという問題があった。
【課題を解決するための手段】
【０００５】
（１）本発明によるカメラは、外部カメラに固定する接続部と、外部カメラとの間で通信を行う通信手段と、被写体像を撮像する撮像手段と、撮像手段によって撮像された画像を再生表示する表示手段と、通信手段を介して外部カメラから取得した情報に基づいて、外部カメラによる撮影範囲を演算する演算手段と、再生表示する画像とともに、演算手段で演算された撮影範囲を示す表示を行うように表示手段を制御する表示制御手段とを備えることを特徴とする。
（２）請求項１に記載のカメラにおいて、演算手段は、外部カメラの撮影光学系である外部カメラ撮影光学系の焦点距離情報、外部カメラの撮像素子である外部カメラ撮像素子のサイズ情報、当該カメラの撮影光学系の焦点距離情報、および当該カメラの撮像手段に含まれる撮像素子のサイズ情報を用いて、表示手段で再生表示される画像における外部カメラによる撮影範囲を演算することもできる。
（３）請求項１に記載のカメラにおいて、演算手段は、外部カメラの撮影光学系である外部カメラ撮影光学系および外部カメラの撮像素子である外部カメラ撮像素子により撮像される撮像範囲を所定サイズの撮像素子で撮影した場合に用いるべき撮影光学系の焦点距離である換算焦点距離情報に基づいて、外部カメラによる撮影範囲を演算することもできる。
（４）請求項１〜３のいずれか一項に記載のカメラにおいて、演算手段は、外部カメラの撮像素子である外部カメラ撮像素子の撮像範囲に対する該外部カメラによる画像データの取得範囲が占める割合情報に基づいて、外部カメラによる撮影範囲を演算することもできる。
（５）請求項１〜４のいずれか一項に記載のカメラにおいて、演算手段は、外部カメラで記録される画像のアスペクト比情報に基づいて、外部カメラによる撮影範囲を演算することもできる。
（６）請求項１に記載のカメラはさらに、測光手段と、通信手段を介して外部カメラから取得した外部カメラによる測光情報と、測光手段で取得された測光情報とに基づいて、撮像手段に対する露出制御を行う露出制御手段とを備えてもよい。
（７）請求項１に記載のカメラはさらに、通信手段を介して外部カメラから取得したホワイトバランス調整設定の選択肢情報に基づいて、表示手段で再生表示される画像のデータに適用するホワイトバランス調整設定を行うホワイトバランス制御手段を備えてもよい。
（８）請求項１に記載のカメラはさらに、操作に応じて信号を発する操作部材を備えてもよい。この場合の表示制御手段は、操作部材からの信号に応じて再生表示する画像上で撮影範囲を示す表示の位置を移動させるように表示手段を制御することもできる。
（９）請求項１に記載のカメラにおいて、接続部は、外部カメラによる撮影方向に対して撮像手段の撮像方向を調節する調節機構を備えることもできる。
（１０）本発明によるカメラは、望遠鏡に固定する接続部と、望遠鏡との間で通信を行う通信手段と、被写体像を撮像する撮像手段と、撮像手段によって撮像された画像を再生表示する表示手段と、通信手段を介して望遠鏡から取得した情報に基づいて、望遠鏡による視野を演算する演算手段と、再生表示する画像とともに、演算手段で演算された視野を示す表示を行うように表示手段を制御する表示制御手段とを備えることを特徴とする。
【発明の効果】
【０００６】
本発明によるカメラでは、撮影者が主要被写体を撮影するために、外部カメラをどの向きに向ければよいか容易に判断することができる。
本発明によるカメラでは、観察者が主要対象物を観察するために、望遠鏡をどの向きに向ければよいか容易に判断することができる。
【発明を実施するための最良の形態】
【０００７】
以下、図面を参照して本発明を実施するための最良の形態について説明する。図１は、本発明の一実施の形態による電子カメラ１０を例示する図である。電子カメラ１０は、カメラ５０のアクセサリシューに装着される。カメラ５０に装着された電子カメラ１０の撮影レンズ２０は、カメラ５０の撮影レンズ６０と略等しい向きへ向けられる。
【０００８】
カメラ５０の撮影レンズ６０は、焦点距離が長いレンズ、いわゆる望遠レンズである。電子カメラ１０の撮影レンズ２０は、撮影レンズ６０に比べて焦点距離が短いレンズ、たとえば標準レンズである。したがって、電子カメラ１０による撮影範囲は、カメラ５０による撮影範囲より広い。
【０００９】
本実施形態では、カメラ５０（メインカメラとも呼ぶ）による望遠撮影時に、電子カメラ１０（サブカメラとも呼ぶ）をガイドスコープとして使用する。具体的には、電子カメラ１０の背面表示装置に電子カメラ１０で撮像された画像を表示するとともに、カメラ５０による撮影範囲を示す表示を背面表示装置に表示中の画像に重ねてインポーズ表示させる。
【００１０】
図２は、電子カメラ１０による撮影範囲Ｆ１０と、カメラ５０による撮影範囲Ｆ５０とを例示する図である。撮影者がカメラ５０のファインダー５１を覗いた場合、ファインダー５１を通して観察される像は、撮影範囲Ｆ５０に対応する狭い視野の像である。この場合、撮影者にとっては、観察している像がどの被写体を拡大したものであるかがわかりにくい。撮影範囲Ｆ５０と、撮影範囲Ｆ５０より広い撮影範囲Ｆ１０とを共通の画像上に表示させるように構成できれば、撮影者にとって撮影範囲Ｆ５０と被写体との関係がわかりやすくなる。
【００１１】
以下、電子カメラ１０の背面表示装置に、カメラ５０による撮影範囲Ｆ５０と電子カメラ１０による撮影範囲Ｆ１０とを表示させる点を中心に説明する。図３は、電子カメラ１０を背面から見た斜視図である。電子カメラ１０の背面には、表示装置１１と、電源スイッチ１２と、メニュースイッチ１３と、ＯＫスイッチ１４と、十字スイッチ１５とが設けられている。
【００１２】
表示装置１１は、液晶表示器によって構成される。図３において、表示装置１１が表示中の画像は、電子カメラ１０が撮影範囲Ｆ１０について撮像した画像である。表示装置１１が上記画像上に表示する枠４０は、カメラ５０による撮影範囲Ｆ５０に対応する。
【００１３】
電子カメラ１０には、カメラ５０のアクセサリシューに電子カメラ１０を固定するための固定部材１６が設けられている。固定部材１６は、支持部材１６Ａおよび取り付け脚１６Ｂで構成される。支持部材１６Ａは、電子カメラ１０を水平軸Ｈの回りに回動自在に支持する。取り付け脚１６Ｂは、カメラ５０のアクセサリシューと勘合する。支持部材１６Ａおよび取り付け脚１６Ｂは、垂直軸Ｖの回りに回動自在に取り付けられている。電子カメラ１０をカメラ５０へ装着し、固定部材１６を水平軸Ｈおよび垂直軸Ｖの回りにそれぞれ回動させることにより、電子カメラ１０の撮影方向とカメラ５０の撮影方向とが略等しく調節される。この場合、表示装置１１による表示画像（撮影範囲Ｆ１０を撮像した画像）の略中央に、カメラ５０による撮影範囲Ｆ５０に対応する枠４０が位置する。
【００１４】
電源スイッチ１２は、電子カメラ１０に対して電源をオン／オフさせるための操作部材である。メニュースイッチ１３は、電子カメラ１０に対してメニュー処理を起動／終了させるための操作部材である。メニュー処理は、後述するマニュアル設定操作の他、電子カメラ１０に対する設定操作を受け付ける処理である。ＯＫスイッチ１４は、メニュー処理における設定内容を電子カメラ１０に確定させるための操作部材である。十字スイッチ１５は、上下左右の各方向に対応する操作信号を発する操作部材である。十字スイッチ１５からの操作信号により、メニュー処理における設定項目の選択が指示される。
【００１５】
図４は、電子カメラ１０のブロック構成図である。電子カメラ１０は、レンズ光学系２１（図２の撮影レンズ２０に対応する）と、絞り２２と、撮像素子２３と、信号増幅器２４と、Ａ／Ｄ変換器２５と、メモリ２６と、デジタル画像処理部２７と、制御部２８と、表示装置２９（図３の表示装置１１に対応する）と、操作部材３０と、外部通信インターフェース(I/F)３１とを含む。
【００１６】
レンズ光学系２１は、撮像素子２３の撮像面に被写体像を結像させる。絞り２２は、光束を多段階に減衰させる減光部材である。撮像素子２３へ入射される光量は、絞り２２によって所定量に制限される。撮像素子２３は、たとえば、ＣＣＤイメージセンサによって構成される。撮像素子２３は被写体像を撮像し、アナログ画像信号を信号増幅器２４へ出力する。
【００１７】
信号増幅器２４はアナログ画像信号を増幅し、増幅後の信号をＡ／Ｄ変換器２５へ送出する。Ａ／Ｄ変換器２５は、アナログ画像信号をデジタル画像信号に変換する。デジタル画像信号は、画像を構成するデジタルデータとしてメモリ２６に格納される。
【００１８】
デジタル画像処理部２７は、画像を構成するデジタルデータに所定の画像処理を施す。画像処理は、たとえば、輪郭強調や色補間処理、色温度調整（ホワイトバランス調整）処理、デジタルデータに対するフォーマット変換処理などを含む。
【００１９】
制御部２８は、電子カメラ１０内の各部からの信号を受けて所定の演算を行うなどして、電子カメラ１０内の各部の動作を制御する。制御部２８が実行するプログラムは、制御部２８内の不揮発性メモリに格納されている。制御部２８はさらに、デジタルデータによる再生画像を表示装置２９に表示させるため、デジタルデータに基づいて表示データを作成する。
【００２０】
表示装置２９は、上記作成された表示データによる再生画像を表示する。操作部材３０は、上述した電源スイッチ１２、メニュースイッチ１３、ＯＫスイッチ１４、および十字スイッチ１５を含む。操作部材３０は、各スイッチの操作に応じた操作信号を制御部２８へ送る。
【００２１】
外部通信インターフェース３１は、電子カメラ１０がカメラ５０に装着された場合、制御部２８からの指示に基づいてカメラ５０との間で通信を行う。固定部材１６（図３）には、外部通信インターフェース３１とカメラ５０との間を接続する通信ラインが設けられている。固定部材１６がカメラ５０のアクセサリシュー５５に固定されると、電子カメラ１０とカメラ５０との間で通信ラインが接続されるように構成されている。電子カメラ１０とカメラ５０との間の通信は、たとえば、毎秒１０回の通信間隔で周期的に行う。
【００２２】
電子カメラ５０との通信によって電子カメラ１０がカメラ５０から取得する情報には、撮影レンズ６０（図１）の焦点距離情報、画像記録情報（画像アスペクト比、クロップ比）、ファインダー情報、測光情報、ホワイトバランス情報が含まれる。
【００２３】
カメラ５０による撮影範囲Ｆ５０と、電子カメラ１０による撮影範囲Ｆ１０とを表示装置２９に表示させるために制御部２８が行う処理について、図５および図６に例示するフローチャートを参照して説明する。制御部２８は、電源スイッチオン時に不図示の電源が起動すると、図５の処理を行うプログラムを起動させる。
【００２４】
図５のステップＳ１１において、制御部２８は、マニュアル設定フラグをリセット（０にする）してステップＳ１２へ進む。マニュアル設定フラグは、枠４０の表示に必要な情報をマニュアル設定操作によって取得する場合にセット（１にする）される。これに対し、枠４０の表示に必要な情報をカメラ５０から自動的に取得する場合にはリセット（０にする）される。本実施形態では、初期設定としてマニュアル設定フラグをリセットする。
【００２５】
ステップＳ１２において、制御部２８は電源オフ操作されたか否かを判定する。制御部２８は、電源スイッチ１２からのオフ操作信号を受け付けた場合にステップＳ１２を肯定判定し、所定の電源オフ処理を行って図５による処理を終了する。制御部２８は、電源スイッチ１２からのオフ操作信号を受け付けていない場合にはステップＳ１２を否定判定してステップＳ１３へ進む。
【００２６】
ステップＳ１３において、制御部２８は、表示装置２９にスルー画像表示を行わせてステップＳ１４へ進む。スルー画像は、撮像素子２３によって所定間隔ごとに（たとえば３０フレーム／秒）撮像されるモニタ用の画像のことをいう。
【００２７】
スルー画像を撮像する際のレンズ光学系２１のフォーカス調節は、撮影距離が無限遠の被写体に合焦させる固定焦点とする。（撮影距離が２ｍから無限遠までの被写体にピントを合わせるパンフォーカスとする。）
【００２８】
ステップＳ１４において、制御部２８は、マニュアル設定操作があるか否かを判定する。制御部２８は、メニュースイッチ１３からの操作信号を受け付けた場合にステップＳ１４を肯定判定してステップＳ２９へ進む。制御部２８は、メニュースイッチ１３からの操作信号を受け付けていない場合には、ステップＳ１４を否定判定してステップＳ１５へ進む。
【００２９】
ステップＳ１５において、制御部２８はマニュアル設定フラグが０か否かを判定する。制御部２８は、マニュアル設定フラグが０の場合にステップＳ１５を肯定判定してステップＳ１６へ進む。制御部２８は、マニュアル設定フラグが０でない場合にはステップＳ１５を否定判定し、ステップＳ３１へ進む。
【００３０】
ステップＳ１６において、制御部２８はカメラ５０から新規の情報を取得したか否かを判定する。制御部２８は、外部通信インターフェース３１で新規情報が取得された場合にステップＳ１６を肯定判定してステップＳ１７へ進む。制御部２８は、外部通信インターフェース３１で新規情報が取得されていない場合にはステップＳ１６を否定判定し、図６のステップＳ２５へ進む。
【００３１】
ステップＳ１７において、制御部２８は、３５ミリ判カメラの場合に換算した電子カメラ１０の焦点距離ｆ(35)ｓ、および３５ミリ判カメラの場合に換算したカメラ５０の焦点距離ｆ(35)ｍをそれぞれ算出してステップＳ１８へ進む。換算式は次式（１）および（２）を用いる。
ｆ(35)ｓ＝ｌ(35)／ｌｓ×ｆｓ                    （１）
ｆ(35)ｍ＝ｌ(35)／ｌｍ×ｆｍ                    （２）
ただし、ｌ(35)は３５ミリ判カメラのフィルム露光面サイズ（２４mm×３６mm）の対角長(mm)である。ｌｓは、電子カメラ１０の撮像素子露光面サイズの対角長(mm)である。ｆｓは、電子カメラ１０の実焦点距離(mm)である。実焦点距離は、３５ミリ判カメラの場合に換算していない焦点距離である。ｌｍは、カメラ５０の撮像素子露光面サイズの対角長(mm)である。ｆｍは、カメラ５０の実焦点距離(mm)である。
【００３２】
焦点距離を３５ミリ判カメラの場合に換算するのは以下の理由による。すなわち、撮影範囲は撮影レンズの焦点距離と、撮像素子（銀塩カメラの場合はフィルム）の撮像サイズの対角長とによって決まるため、互いに対角長が異なる撮像素子を有するカメラ間で撮影範囲を比べる場合には、比較の際の基準を揃える必要があるからである。
【００３３】
ステップＳ１８において、制御部２８は、焦点距離係数Ａ＝ｆ(35)ｓ／ｆ(35)ｍを算出してステップＳ１９へ進む。ステップＳ１９において、制御部２８は、クロップ係数ＢをセットしてステップＳ２０へ進む。クロップ係数Ｂは、カメラ５０の撮像素子の撮像範囲に対して、該カメラ５０が画像データを取得する範囲が占める割合を表す。制御部２８は、カメラ５０から取得したクロップ比の情報に基づいてクロップ係数Ｂをセットする。
【００３４】
ステップＳ２０において、制御部２８は、カメラ５０の撮影範囲を示す枠４０の対角長Ｗｍ(mm)を算出してステップＳ２１へ進む。電子カメラ１０は表示領域全体にスルー画を表示するとして表示領域の対角長をＷｓとする。このとき、ＷｍおよびＷｓ間には、次式（３）が成立する。
Ｗｍ(mm)＝Ａ×Ｂ×Ｗｓ(mm)                      （３）
【００３５】
ステップＳ２１において、制御部２８は、カメラ５０から取得したアスペクト比の情報に基づいて角度θを決定し、ステップＳ２２へ進む。ステップＳ２２において、制御部２８は、カメラ５０の撮影範囲を示す枠４０の縦長ｙｍ(mm)＝Ｗｍ×sinθを算出してステップＳ２３へ進む。ステップＳ２３において、制御部２８は、カメラ５０の撮影範囲を示す枠４０の横長ｘｍ(mm)＝Ｗｍ×cosθを算出してステップＳ２４へ進む。
【００３６】
ステップＳ２４において、制御部２８は、上記縦の長さｙｍ(mm)×横の長さｘｍ(mm)からなる画像撮影サイズに対応する撮影範囲を示す枠４０を、スルー画像に重ねて表示装置２９に表示させて図６のステップＳ２５へ進む。
【００３７】
図７は、３５ミリ判カメラの場合に換算したカメラ５０の焦点距離ｆ(35ｍ)が３５ミリ判カメラの場合に換算した電子カメラ１０の焦点距離ｆ(35)ｓの２倍で、両カメラの画像撮影サイズのアスペクト比が同一（２：３）で、カメラ５０のクロップモードがオフされている場合の数値例を示す図である。クロップモードオフは、上記クロップ比を１にする場合を指す。クロップモードオフ時は、カメラ５０の撮像素子の撮像範囲と、該カメラ５０が画像データを取得する範囲とが等しい。
【００３８】
図７の数値例でステップＳ１７〜ステップＳ２３の演算を行うと、３５ミリ判カメラに換算した場合の電子カメラ１０の焦点距離ｆ(35)ｓは、４３．３／１１．０×４．１＝２８．０(mm)となる。また、３５ミリ判カメラに換算した場合のカメラ５０の焦点距離ｆ(35)ｍは、４３．３／２８．４×３６．７＝５６．０(mm)となる。電子カメラ１０とカメラ５０との間の焦点距離の比は、ｆ(35)ｓ：ｆ(35)ｍ＝１：２であり、この場合の電子カメラ１０とカメラ５０との間の撮影範囲の対角長(mm)の比Ｗｓ：Ｗｍは、図８に例示するように２：１となる。つまり、電子カメラ１０の表示装置２９の全表示域を使ってスルー画像を表示させる場合に、当該スルー画像の対角線の半分の長さの対角線を有する枠４０を表示させることになる。
【００３９】
ステップＳ１４を肯定判定して進むステップＳ２９において、制御部２８は、マニュアル設定操作が終了したか否かを判定する。制御部２８は、ＯＫスイッチ１４および十字スイッチ１５からの操作信号を受け付け中の場合に、ステップＳ２９を否定判定して当該判定処理を繰り返す。制御部２８は、ＯＫスイッチ１４および十字スイッチ１５からの操作信号を受け付けていない場合には、ステップＳ２９を肯定判定してステップＳ３０へ進む。
【００４０】
ステップＳ３０において、制御部２８は、マニュアル設定フラグをセット（１にする）してステップＳ３１へ進む。ステップＳ３１において、制御部２８は、マニュアル設定操作によって入力され、メモリ２６に記録したマニュアル設定データをメモリ２６から読出してステップＳ１７へ進む。この場合、カメラ５０の焦点距離情報などの値は、マニュアル設定操作で入力された値を用いて上記ステップＳ１７〜ステップＳ２３の演算を行う。
【００４１】
図６のステップＳ２５において、制御部２８はマニュアル設定フラグが０か否かを判定する。制御部２８は、マニュアル設定フラグが０の場合にステップＳ２５を肯定判定してステップＳ２６へ進む。制御部２８は、マニュアル設定フラグが０でない場合にはステップＳ２５を否定判定し、ステップＳ３８へ進む。
【００４２】
ステップＳ２６において、制御部２８はカメラ５０からの情報に測光情報が含まれるか否かを判定する。制御部２８は、外部通信インターフェース３１で取得された情報に測光情報が含まれる場合にステップＳ２６を肯定判定してステップＳ２７へ進む。制御部２８は、取得された情報に測光情報が含まれていない場合にはステップＳ２６を否定判定し、ステップＳ３８へ進む。
【００４３】
ステップＳ２７において、制御部２８は次式（４）を用いることにより、本実施形態によるスルー画像の撮像に適用する露出を決定するための自動露出演算に用いる被写体輝度値（ＢＶ）を算出してステップＳ２８へ進む。
ＢＶ＝ＢＶｍ×１／３＋ＢＶｓ×２／３            （４）
ただし、ＢＶｍは、カメラ５０で検出された測光値に基づいてカメラ５０が算出した輝度値である。ＢＶｓは、電子カメラ１０で検出した測光値に基づいて制御部２８が通常算出する輝度値（記録用画像の撮像に適用する露出を決定するための自動露出演算に用いる値）である。
【００４４】
ステップＳ３８において、制御部２８は、上記ＢＶｓの値を被写体輝度（ＢＶ）としてステップＳ２８へ進む。
【００４５】
ステップＳ２８において、制御部２８はＢＶを用いた露出制御を行ってステップＳ３２へ進む。露出制御は、たとえば、あらかじめ定められているプログラム線図を用いたプログラム露出制御を行う。これにより、ＢＶ値に応じて絞り２２による絞り値、撮像素子２３による蓄積時間、およびアナログ画像信号に対する増幅利得を決定する。
【００４６】
ステップＳ３２において、制御部２８はマニュアル設定フラグが０か否かを判定する。制御部２８は、マニュアル設定フラグが０の場合にステップＳ３２を肯定判定してステップＳ３３へ進む。制御部２８は、マニュアル設定フラグが０でない場合にはステップＳ３２を否定判定し、ステップＳ３７へ進む。
【００４７】
ステップＳ３３において、制御部２８はカメラ５０からの情報にホワイトバランス（ＷＢ）情報が含まれるか否かを判定する。制御部２８は、外部通信インターフェース３１で取得された情報にＷＢ情報が含まれる場合にステップＳ３３を肯定判定してステップＳ３４へ進む。制御部２８は、取得された情報にＷＢ情報が含まれていない場合にはステップＳ３３を否定判定し、ステップＳ３７へ進む。
【００４８】
ステップＳ３４において、制御部２８はカメラ５０からのＷＢ情報を認識可能か否かを判定する。制御部２８は、カメラ５０からのＷＢ情報が電子カメラ１０で扱うＷＢ情報と共通の情報である場合に、ステップＳ３４を肯定判定してステップＳ３５へ進む。制御部２８は、カメラ５０からのＷＢ情報が電子カメラ１０で扱わないＷＢ情報である場合にはステップＳ３４を否定判定し、ステップＳ３７へ進む。
【００４９】
ステップＳ３５において、制御部２８は、ＷＢ設定に関してカメラ５０と同じ設定選択肢を設定してステップＳ３６へ進む。設定選択肢は、スルー画像に基づいてカメラが自動的にＷＢ係数を得る「オート」、晴天の屋外での撮影に適したＷＢ係数を得る「デーライト」、曇天の屋外での撮影に適したＷＢ係数を得る「曇天」、白色蛍光灯の下での撮影に適したＷＢ係数を得る「蛍光灯」など、あらかじめ設けられている複数の選択肢の中からいずれか１つを設定する。
【００５０】
ステップＳ３７において、制御部２８は、ＷＢ設定をオートに設定してステップＳ３６へ進む。
【００５１】
ステップＳ３６において、制御部２８はデジタル画像処理部２７へ設定選択肢情報を送り、当該選択肢に応じたＷＢ係数を算出、およびこのＷＢ係数を設定させて図５のステップＳ１２へ戻る。これにより、デジタル画像処理部２７は、本実施形態によるスルー画像に対してステップＳ３６で算出、設定されたＷＢ係数を用いてホワイトバランス調整を行う。表示装置２９が表示するスルー画像は、このようなホワイトバランス調整後の再生画像である。
【００５２】
以上説明した実施形態によれば、次の作用効果が得られる。
（１）電子カメラ１０で撮像したスルー画像を表示する表示装置２９の画面内に、カメラ５０による撮影範囲を示す枠４０を表示画像に重ねて表示させるようにした。たとえば、望遠レンズ６０を用いて撮影するカメラ５０の撮影範囲が狭いことにより、主要被写体を撮影するためにカメラ５０を向ける方向がわかりづらい場合でも、撮影者は、電子カメラ１０の表示装置２９の表示画面から容易に判断することができる。
【００５３】
（２）カメラ５０の撮影レンズ６０の焦点距離ｆｍ(mm)、カメラ５０の撮像素子の露光面の対角長ｌｍ(mm)、電子カメラ１０の撮影レンズ２０の焦点距離ｆｓ(mm)、および電子カメラ１０の撮像素子２３の露光面の対角長ｌｓ(mm)を用いて、表示装置２９に表示させる枠４０の大きさを演算するようにした。これにより、互いに焦点距離が異なる撮影レンズを有し、また撮像素子サイズの異なるカメラ間で、互いの撮影範囲を対比させることができる。
【００５４】
（３）撮影レンズの焦点距離を３５ミリ判カメラの場合に換算して比較の際の基準を揃えるようにしたので、互いに対角長が異なる撮像素子を有するカメラ間で、互いの撮影範囲を対比させることができる。
【００５５】
（４）カメラ５０の撮影範囲を示す枠の対角長Ｗｍ(mm)を算出し、カメラ５０から取得したアスペクト比情報に基づく角度θを用いて表示装置２９に表示させる枠４０の大きさを演算するようにした。これにより、カメラ間でアスペクト比が異なる場合にも、互いの撮影範囲を対比させることができる。
【００５６】
（５）カメラ５０の測光エリアは電子カメラ１０による測光エリアより狭いので、両者がそれぞれ取得する輝度値が異なる可能性が高い。この場合、カメラ５０が電子ビューファインダー(EVF)を備えている場合には、カメラ５０側の電子ビューファインダーによる再生画像と、電子カメラ１０の表示装置２９による再生画像とで明るさが異なってしまい、両再生画像を観察する撮影者に違和感を感じさせてしまう。そこで、本実施形態の電子カメラ１０では、電子カメラ１０による算出値を優先しつつ、メインカメラ５０による算出値に近づけるように２（電子カメラ１０）：１（カメラ５０）の割合で重み付けを行って輝度値を算出したので（ステップＳ２７）、電子カメラ１０とカメラ５０とで再生画像の明るさの違いを抑えることができる。
【００５７】
（６）ＷＢ設定に関して電子カメラ１０がカメラ５０と同じ設定選択肢を設定するようにしたので、電子カメラ１０とカメラ５０とでＷＢ係数の相違に起因する再生画像の色の違いを抑えることができる。
【００５８】
（７）電子カメラ１０をカメラ５０へ固定する固定部材１６は、電子カメラ１０を水平軸Ｈの回りに回動自在に支持するとともに、垂直軸Ｖの回りに回動自在に取り付ける構成とした。これにより、電子カメラ１０の撮影方向とカメラ５０の撮影方向とを略等しく調節することができる。
【００５９】
（変形例１）
図９は、３５ミリ判カメラの場合に換算したカメラ５０の焦点距離ｆ(35ｍ)が３５ミリ判カメラの場合に換算した電子カメラ１０の焦点距離ｆ(35)ｓの４倍で、両カメラの画像撮影サイズのアスペクト比が同一（２：３）で、カメラ５０のクロップモードがオフされている場合の数値例を示す図である。
【００６０】
図９の数値例でステップＳ１７〜ステップＳ２３の演算を行うと、３５ミリ判カメラに換算した場合の電子カメラ１０の焦点距離ｆ(35)ｓは、４３．３／１１．０×４．１＝２８．０(mm)となる。また、３５ミリ判カメラに換算した場合のカメラ５０の焦点距離ｆ(35)ｍは、４３．３／２８．４×７３．４．７＝１１２．０(mm)となる。電子カメラ１０とカメラ５０との間の焦点距離の比は、ｆ(35)ｓ：ｆ(35)ｍ＝１：４であり、この場合の電子カメラ１０とカメラ５０との間の撮影範囲の対角長(mm)の比Ｗｓ：Ｗｍは、図１０に例示するように４：１となる。つまり、電子カメラ１０の表示装置２９の全表示域を使ってスルー画像を表示させる場合に、当該スルー画像の対角線の１／４の長さの対角線を有する枠４０を表示させることになる。
【００６１】
（変形例２）
図１１は、３５ミリ判カメラの場合に換算したカメラ５０の焦点距離ｆ(35ｍ)が３５ミリ判カメラの場合に換算した電子カメラ１０の焦点距離ｆ(35)ｓの２倍で、カメラ５０の画像撮影サイズのアスペクト比が３：４で、電子カメラ１０の画像撮影サイズのアスペクト比が２：３で、カメラ５０のクロップモードがオフされている場合の数値例を示す図である。
【００６２】
図１１の数値例でステップＳ１７〜ステップＳ２３の演算を行うと、３５ミリ判カメラに換算した場合の電子カメラ１０の焦点距離ｆ(35)ｓは、４３．３／１１．０×４．１＝２８．０(mm)となる。また、３５ミリ判カメラに換算した場合のカメラ５０の焦点距離ｆ(35)ｍは、４３．３／２８．４×３６．７＝５６．０(mm)となる。電子カメラ１０とカメラ５０との間の焦点距離の比は、ｆ(35)ｓ：ｆ(35)ｍ＝１：２であり、この場合の電子カメラ１０とカメラ５０との間の撮影範囲の対角長(mm)の比Ｗｓ：Ｗｍは、図１２に例示するように２：１となる。ただし、電子カメラ１０とメインカメラ５０とでアスペクト比が異なるため、両カメラによる撮影範囲の対角線の角度が相違する。つまり、電子カメラ１０の表示装置２９の全表示域を使ってスルー画像を表示させる場合に、当該スルー画像の対角線の半分の長さの対角線を有し、該スルー画像とアスペクト比が異なる枠４０を表示させることになる。
【００６３】
（変形例３）
図１３は、３５ミリ判カメラの場合に換算したカメラ５０の焦点距離ｆ(35ｍ)が３５ミリ判カメラの場合に換算した電子カメラ１０の焦点距離ｆ(35)ｓの２倍で、両カメラの画像撮影サイズのアスペクト比が同一（２：３）で、カメラ５０のクロップモードがオンされている場合の数値例を示す図である。クロップモードオン時のクロップ比（すなわち、カメラ５０の撮像素子の撮像範囲に対して該カメラ５０が画像データを取得する範囲が占める割合）は２／３とする。
【００６４】
図１３の数値例でステップＳ１７〜ステップＳ２３の演算を行うと、３５ミリ判カメラに換算した場合の電子カメラ１０の焦点距離ｆ(35)ｓは、４３．３／１１．０×４．１＝２８．０(mm)となる。また、３５ミリ判カメラに換算した場合のカメラ５０の焦点距離ｆ(35)ｍは、４３．３／２８．４×３６．７＝５６．０(mm)となる。電子カメラ１０とカメラ５０との間の焦点距離の比は、ｆ(35)ｓ：ｆ(35)ｍ＝１：２である上に、カメラ５０が画像データを取得する範囲が２／３になるため、電子カメラ１０の撮影範囲の対角長(mm)と、カメラ５０の画像データ取得範囲の対角長(mm)の比Ｗｓ：Ｗｍは、図１４に例示するように２：２／３＝３：１となる。つまり、電子カメラ１０の表示装置２９の全表示域を使ってスルー画像を表示させる場合に、当該スルー画像の対角の１／３の長さの対角線を有する枠４０を表示させることになる。
【００６５】
変形例３によれば、カメラ５０のクロップ比（撮像素子の撮像範囲に対して該カメラ５０が画像データを取得する範囲が占める割合）を反映して枠４０を表示するようにしたので、カメラ間でクロップ比が異なる場合にも互いの撮影範囲を対比させることができる。なお、カメラ５０側のみがクロップモードを有する例を説明したが、電子カメラ１０側にもクロップモードを備える構成としても構わない。
【００６６】
（変形例４）
上述した説明では、固定部材１６が備える回動機構によって電子カメラ１０を回動させることにより、電子カメラ１０の撮影方向とカメラ５０の撮影方向とを略等しく調節するように構成した。この代わりに、たとえば電子カメラ１０の撮影光学系２１を構成するレンズ群の一部を光軸に対して垂直方向に進退移動可能に構成することにより、電子カメラ１０の撮影方向とカメラ５０の撮影方向とを略等しく調節可能に構成してもよい。
【００６７】
（変形例５）
電子カメラ１０の撮影方向とカメラ５０の撮影方向とを固定したままで、電子カメラ１０の表示装置２９の表示画面内で枠４０の表示位置を移動させるようにしてもよい。この場合には、スルー画像に重ねて表示する枠４０の表示位置（座標）を、十字スイッチ１５からの操作信号に応じてシフトさせることにより、枠４０の表示位置を移動させる。電子カメラ１０の撮影方向とカメラ５０の撮影方向とを略等しくするように上記回動機構によって粗調した上で、スルー画像に重ねて表示する枠４０の表示位置（座標）をシフトさせる微調を行うことにより、カメラ５０の撮影範囲と、枠４０の表示位置とを正確に合わせることが可能になる。
【００６８】
（変形例６）
以上の説明では、表示装置２９の表示画面上でカメラ５０による撮影範囲を枠４０で示すようにした。枠４０の代わりに、鉤括弧“「”、“」”などで示してもよい。また、カメラ５０の撮影範囲に対応する領域の表示輝度を、他の領域の表示輝度に比べて高く（あるいは低く）表示してもよい。さらにまた、カメラ５０の撮影範囲に対応する領域をカラーで表示し、カメラ５０の撮影範囲外に対応する他の領域をモノクロ表示させてもよい。
【００６９】
（変形例７）
電子カメラ１０をカメラ５０のアクセサリシューに装着する例を説明したが、電子カメラ１０をカメラ５０に装着せずに、電子カメラ１０およびカメラ５０の双方を共通の支持架に取り付けるように構成してもよい。
【００７０】
（変形例８）
上述した説明では、カメラ５０と電子カメラ１０との組み合わせを例に説明した。この代わりに、望遠鏡と電子カメラ１０とを組み合わせてもよい。この場合には、電子カメラ１０の表示装置２９の表示画面上で望遠鏡による視野を、たとえば円で示す。円の代わりに、望遠鏡の視野に対応する領域の表示輝度を、他の領域の表示輝度に比べて高く（あるいは低く）表示してもよい。また、望遠鏡の視野に対応する領域をカラーで表示し、望遠鏡の視野外に対応する他の領域をモノクロ表示させてもよい。
【００７１】
以上の説明はあくまで一例であり、上記の実施形態の構成に何ら限定されるものではない。
【図面の簡単な説明】
【００７２】
【図１】本発明の一実施の形態による電子カメラを例示する図である。
【図２】電子カメラによる撮影範囲とカメラによる撮影範囲とを例示する図である。
【図３】電子カメラを背面から見た斜視図である。
【図４】電子カメラのブロック構成図である。
【図５】制御部が表示装置にカメラによる撮影範囲、電子カメラによる撮影範囲を表示させる処理の流れを説明するフローチャートである。
【図６】制御部が表示装置にカメラによる撮影範囲、電子カメラによる撮影範囲を表示させる処理の流れを説明するフローチャートである。
【図７】数値例を示す図である。
【図８】表示装置に表示する枠を例示する図である。
【図９】数値例を示す図である。
【図１０】表示装置に表示する枠を例示する図である。
【図１１】数値例を示す図である。
【図１２】表示装置に表示する枠を例示する図である。
【図１３】数値例を示す図である。
【図１４】表示装置に表示する枠を例示する図である。
【符号の説明】
【００７３】
１０…電子カメラ
１１（２９）…表示装置
１６…固定部材
１６Ａ…支持部材
１６Ｂ…取り付け脚
２０、６０…撮影レンズ
２３…撮像素子
２４…信号増幅器
２７…デジタル画像処理部
２８…制御部
３０（１２、１３、１４、１５）…操作部材
３１…外部通信インターフェース
４０…枠
５０…カメラ
【図１】
2009198780.tif 000003
【図２】
2009198780.tif 000004
【図３】
2009198780.tif 000005
【図４】
2009198780.tif 000006
【図５】
2009198780.tif 000007
【図６】
2009198780.tif 000008
【図７】
2009198780.tif 000009
【図８】
2009198780.tif 000010
【図９】
2009198780.tif 000011
【図１０】
2009198780.tif 000012
【図１１】
2009198780.tif 000013
【図１２】
2009198780.tif 000014
【図１３】
2009198780.tif 000015
【図１４】
2009198780.tif 000016